(57)【特許請求の範囲】
【請求項１】
センター装置と各端末装置との間で、少なくとも支線を同軸ケーブルとしたツリー型のネットワークを介して双方向通信を行うＣＡＴＶシステムの上り通信において流合雑音の発生を検出し、前記センター装置に警報を行う流合雑音検出装置において、
前記流合雑音検出装置は、前記ネットワークの支線の前記同軸ケーブルに挿入され、
テストキャリア信号を生成するテストキャリア信号生成手段と、
前記テストキャリア信号のレベルを、前記センター装置到達時に規定のレベルとなるようにあらかじめ設定された減衰量減衰させ、前記テストキャリア信号を前記ネットワークを介して前記センター装置に出力する第１アッテネータと、
前記同軸ケーブルを伝送する電波から上り通信帯域の雑音を抽出し、前記第１アッテネータでの前記テストキャリア信号の減衰量（単位ｄＢ）と、前記雑音レベルの減衰量（単位ｄＢ）との和が一定となるように前記雑音レベルを減衰させる第２アッテネータと、
前記第２アッテネータから雑音が入力され、その雑音レベルを検出する雑音レベル検出手段と、
前記雑音レベル検出手段により検出された前記雑音レベルと雑音レベルしきい値とを比較する比較手段と、
前記テストキャリア信号を常時生成するように前記テストキャリア信号生成手段を制御し、または、前記比較手段による比較の結果、前記雑音レベルが前記雑音レベルしきい値以上またはより大きい場合に、前記テストキャリア信号を生成するように前記テストキャリア信号生成手段を制御し、さらに、前記雑音レベルが前記雑音レベルしきい値以上またはより大きい場合に、流合雑音の発生を警報する信号で前記テストキャリア信号を変調して、その変調されたテストキャリア信号を前記第１アッテネータに出力する警報信号生成手段と、
前記センター装置が、前記流合雑音の発生を警報する信号を受信した場合に、前記センター装置から送信される制御信号を前記ネットワークを介して受信し、その制御信号に基づき、前記同軸ケーブルを伝送する上り通信を遮断する、または上り通信の信号を減衰する制御部と、
を有する、
ことを特徴とする流合雑音検出装置。
【請求項２】
前記警報信号生成手段は、常時、前記テストキャリア信号生成手段が前記テストキャリア信号を生成するように制御し、前記雑音レベルが前記雑音レベルしきい値以上またはより大きい場合に、流合雑音の発生を警報する信号で前記テストキャリア信号を変調する、ことを特徴とする請求項１に記載の流合雑音検出装置。
【請求項３】
センター装置と各端末装置との間で、少なくとも支線を同軸ケーブルとしたツリー型のネットワークを介して双方向通信を行うＣＡＴＶシステムにおいて、
前記ネットワークの支線の前記同軸ケーブルにそれぞれ挿入され、流合雑音の発生を検出する流合雑音検出装置を有し、
前記流合雑音検出装置は、
テストキャリア信号を生成するテストキャリア信号生成手段と、
前記テストキャリア信号のレベルを、前記センター装置到達時に規定のレベルとなるようにあらかじめ設定された減衰量減衰させ、前記テストキャリア信号を前記ネットワークを介して前記センター装置に出力する第１アッテネータと、
前記同軸ケーブルを伝送する電波から上り通信帯域の雑音を抽出し、前記第１アッテネータでの前記テストキャリア信号の減衰量（単位ｄＢ）と、前記雑音レベルの減衰量（単位ｄＢ）との和が一定となるように前記雑音レベルを減衰させる第２アッテネータと、
前記第２アッテネータから雑音が入力され、その雑音レベルを検出する雑音レベル検出手段と、
前記雑音レベル検出手段により検出された前記雑音レベルと雑音レベルしきい値とを比較する比較手段と、
前記テストキャリア信号を常時生成するように前記テストキャリア信号生成手段を制御し、または、前記比較手段による比較の結果、前記雑音レベルが前記雑音レベルしきい値以上またはより大きい場合に、前記テストキャリア信号を生成するように前記テストキャリア信号生成手段を制御し、さらに、前記雑音レベルが前記雑音レベルしきい値以上またはより大きい場合に、流合雑音の発生を警報する信号で前記テストキャリア信号を変調して、その変調されたテストキャリア信号を前記第１アッテネータに出力する警報信号生成手段と、
前記センター装置が、前記流合雑音の発生を警報する信号を受信した場合に、前記センター装置から送信される制御信号を前記ネットワークを介して受信し、その制御信号に基づき、前記同軸ケーブルを伝送する上り通信を遮断する、または上り通信の信号を減衰する制御部と、
を有し、
前記センター装置は、前記センター装置到達時における上り通信の信号レベルが、前記センター装置到達時における前記テストキャリア信号のレベルと揃うように、前記各端末装置の出力する上り通信の信号レベルを制御する、
ことを特徴とするＣＡＴＶシステム。
【請求項４】
前記警報信号生成手段は、常時、前記テストキャリア信号生成手段が前記テストキャリア信号を生成するように制御し、前記雑音レベルが前記雑音レベルしきい値以上またはより大きい場合に、流合雑音の発生を警報する信号で前記テストキャリア信号を変調する、ことを特徴とする請求項３に記載のＣＡＴＶシステム。
【発明の詳細な説明】
【技術分野】
【０００１】
本発明は、ＣＡＴＶシステムの上り通信において発生する流合雑音を検出し、その発生源を特定する装置、およびその装置を備えたＣＡＴＶシステムである。
【背景技術】
【０００２】
近年、ＣＡＴＶシステムにおいてインターネット接続サービスに加えて電話サービスを行うことが多くなってきており、上りの通信品質の重要性が増している。上りの通信品質を悪化させる要因として、ＣＡＴＶシステムがツリー型のネットワーク構造であることに起因する流合雑音の問題がある。
【０００３】
流合雑音の発生箇所を特定するため、現在のＣＡＴＶシステムでは、システム内のノードやトランクアンプに内蔵されているゲートコントロールシステム（ＧＣＳ）をセンターに近い側から制御し、段階的にシステムを切り分ける作業を行うことにより、流合雑音の発生源を大まかに特定している。
【０００４】
また、特許文献１には、流合雑音の発生を検出して遮断する流合雑音検出遮断装置を各加入者に設けることが示されている。特許文献１に示された流合雑音検出遮断装置では、キャリアレベルと雑音レベルを測定してＣＮＲ( 搬送波対雑音比) を算出し、そのＣＮＲをＣＮＲしきい値と比較し、ＣＮＲがＣＮＲしきい値以上となった場合に流合雑音が発生したと判断して、上り信号の遮断などを行うことが示されている。
【先行技術文献】
【特許文献】
【０００５】
【特許文献１】特開２００５−１２３８７０
【発明の概要】
【発明が解決しようとする課題】
【０００６】
しかし、ＧＣＳによってネットワークを切り分けて段階的に流合雑音の発生源を特定する方法では、継続的に混入する流合雑音発生源を切り分けることは容易だが、雑音が突発的に発生する端末を切り分けることは困難である。そのため、端末になるべく近いところで流合雑音を常時監視し、流合雑音の発生時にその原因である端末を短時間にサーチし、発生源を特定することができるＣＡＴＶシステムが求められている。
【０００７】
また、特許文献１では、各流合雑音検出遮断装置からセンター装置までの伝送距離などに違いがあるため、ある流合雑音検出遮断装置での流合雑音レベルが等しくとも、センター装置到達時においては流合雑音レベルが異なることがある。そのため、上り通信に障害を与える流合雑音検出遮断装置での流合雑音レベルは、各流合雑音検出遮断装置ごとに異なり、個別に所定のＣＮＲしきい値を設定する必要があった。その際のＣＮＲしきい値の設定方法について、特許文献１には何ら示されていない。そのため、特許文献１の流合雑音検出遮断装置では、簡易に流合雑音の検出を行うことが難しい。また、特許文献１では、ＣＮＲの算出のためにキャリアレベルを測定しているため、上り通信のチャネルボンディングや、チャネル帯域の変更や拡張などに対応することができず、汎用性が低い。また、特許文献１では、キャリアレベルと雑音レベルを測定してＣＮＲを算出しているため、上り通信を行っている場合以外は流合雑音を検出することができない。
【０００８】
そこで本発明の目的は、簡易に流合雑音の検出を行うことができる流合雑音検出装置、およびその流合雑音検出装置を備えたＣＡＴＶシステムを実現することである。
【課題を解決するための手段】
【０００９】
第１の発明は、センター装置と各端末装置との間で、少なくとも支線を同軸ケーブルとしたツリー型のネットワークを介して双方向通信を行うＣＡＴＶシステムの上り通信において流合雑音の発生を検出し、前記センター装置に警報を行う流合雑音検出装置において、流合雑音検出装置は、ネットワークの支線の同軸ケーブルに挿入され、テストキャリア信号を生成するテストキャリア信号生成手段と、テストキャリア信号のレベルを、センター装置到達時に規定のレベルとなるようにあらかじめ設定された減衰量減衰させ、テストキャリア信号をネットワークを介してセンター装置に出力する第１アッテネータと、同軸ケーブルを伝送する電波から上り通信帯域の雑音を抽出し、第１アッテネータでのテストキャリア信号の減衰量（単位ｄＢ）と、雑音レベルの減衰量（単位ｄＢ）との和が一定となるように雑音レベルを減衰させる第２アッテネータと、第２アッテネータから雑音が入力され、その雑音レベルを検出する雑音レベル検出手段と、雑音レベル検出手段により検出された雑音レベルと雑音レベルしきい値とを比較する比較手段と、テストキャリア信号を常時生成するようにテストキャリア信号生成手段を制御し、または、比較手段による比較の結果、雑音レベルが前記雑音レベルしきい値以上またはより大きい場合に、テストキャリア信号を生成するようにテストキャリア信号生成手段を制御し、さらに、雑音レベルが雑音レベルしきい値以上またはより大きい場合に、流合雑音の発生を警報する信号で前記テストキャリア信号を変調して、その変調されたテストキャリア信号を第１アッテネータに出力する警報信号生成手段と、センター装置が、流合雑音の発生を警報する信号を受信した場合に、センター装置から送信される制御信号をネットワークを介して受信し、その制御信号に基づき、同軸ケーブルを伝送する上り通信を遮断する、または上り通信の信号を減衰する制御部と、を有することを特徴とする流合雑音検出装置である。
【００１０】
第１、２アッテネータには、デジタルアッテネータを用いるとよい。デジタルアッテネータの減衰量を制御するデジタル制御信号について、第１アッテネータに入力するデジタル制御信号と、第２アッテネータに入力する制御信号とが、反転した関係のものとすれば、第１アッテネータでのテストキャリア信号の減衰量（単位ｄＢ）と、雑音レベルの減衰量（単位ｄＢ）との和が一定となるように制御することが容易にできる。
【００１１】
第１アッテネータに入力するデジタル制御信号をインバータによって反転して第２アッテネータに入力してもよいし、第２アッテネータに入力するデジタル制御信号をインバータによって反転して第１アッテネータに入力してもよい。
【００１２】
テストキャリア信号は、常時出力されるステータスモニタ信号などの信号であってもよい。ステータスモニタ信号を用いると、テストキャリア信号のための帯域を別途確保する必要がないのが利点である。
【００１３】
また、本発明のＣＡＴＶシステムは、伝送線路を同軸ケーブルのみによって構成したＣＡＴＶシステムであってもよいし、幹線を光ファイバーケーブル、支線を同軸ケーブルとするＨＦＣネットワークのＣＡＴＶシステムであってもよい。
【００１４】
【００１５】
第２の発明は、第１の発明において、警報信号生成手段は、常時、テストキャリア信号生成手段がテストキャリア信号を生成するように制御し、雑音レベルが雑音レベルしきい値以上またはより大きい場合に、流合雑音の発生を警報する信号でテストキャリア信号を変調する、ことを特徴とする流合雑音検出装置である。
【００１６】
第３の発明は、  センター装置と各端末装置との間で、少なくとも支線を同軸ケーブルとしたツリー型のネットワークを介して双方向通信を行うＣＡＴＶシステムにおいて、ネットワークの支線の同軸ケーブルにそれぞれ挿入され、流合雑音の発生を検出する流合雑音検出装置を有し、流合雑音検出装置は、テストキャリア信号を生成するテストキャリア信号生成手段と、テストキャリア信号のレベルを、センター装置到達時に規定のレベルとなるようにあらかじめ設定された減衰量減衰させ、テストキャリア信号をネットワークを介してセンター装置に出力する第１アッテネータと、同軸ケーブルを伝送する電波から上り通信帯域の雑音を抽出し、第１アッテネータでのテストキャリア信号の減衰量（単位ｄＢ）と、雑音レベルの減衰量（単位ｄＢ）との和が一定となるように雑音レベルを減衰させる第２アッテネータと、第２アッテネータから雑音が入力され、その雑音レベルを検出する雑音レベル検出手段と、雑音レベル検出手段により検出された雑音レベルと雑音レベルしきい値とを比較する比較手段と、テストキャリア信号を常時生成するようにテストキャリア信号生成手段を制御し、または、比較手段による比較の結果、雑音レベルが雑音レベルしきい値以上またはより大きい場合に、テストキャリア信号を生成するようにテストキャリア信号生成手段を制御し、さらに、雑音レベルが雑音レベルしきい値以上またはより大きい場合に、流合雑音の発生を警報する信号でテストキャリア信号を変調して、その変調されたテストキャリア信号を第１アッテネータに出力する警報信号生成手段と、センター装置が、流合雑音の発生を警報する信号を受信した場合に、センター装置から送信される制御信号をネットワークを介して受信し、その制御信号に基づき、同軸ケーブルを伝送する上り通信を遮断する、または上り通信の信号を減衰する制御部と、を有し、センター装置は、センター装置到達時における上り通信の信号レベルが、センター装置到達時におけるテストキャリア信号のレベルと揃うように、各端末装置の出力する上り通信の信号レベルを制御する、ことを特徴とするＣＡＴＶシステムである。
【００１７】
【００１８】
第４の発明は、第３の発明において、テストキャリア信号生成手段は、ステータスモニタ信号を生成する手段である、ことを特徴とする流合雑音検出装置である。
【発明の効果】
【００１９】
本発明の流合雑音検出装置によると、センター装置までの伝送距離によらずにＣＮＲしきい値（雑音レベルしきい値）を自動的に設定することができ、容易に流合雑音の検出をすることができる。また、本発明の流合雑音検出装置は、上り信号の帯域によらず用いることができ、汎用性が高い。また、本発明の流合雑音検出装置は、テストキャリア信号により流合雑音を検出するので、上り通信時以外にも流合雑音の検出を行うことができる。
【００２０】
【００２１】
また、テストキャリア信号としてステータスモニタ信号を用いれば、テストキャリア信号用の帯域を確保する必要がなく、利便性が高まる。
【図面の簡単な説明】
【００２２】
【図１】ＣＡＴＶシステムの構成を示した図。
【図２】流合雑音検出装置の構成を示した図。
【発明を実施するための形態】
【００２３】
以下、本発明の具体的な実施例について図を参照に説明するが、本発明は実施例に限定されるものではない。
【実施例１】
【００２４】
図１は、ＣＡＴＶシステムの構成を示した図である。ＣＡＴＶシステムは、センター装置１０と、センター装置１０に接続された同軸ケーブルによって構成されるツリー型のネットワーク１２と、ネットワーク１２に接続された複数の流合雑音検出装置１１と、各加入者宅に配置され、分配器１８を介して流合雑音検出装置１１に接続されたＣＭ（ケーブルモデム）１３およびＳＴＢ（セットトップボックス）１４と、によって構成されている。センター装置１０は、ＳＴＭ（ステータスモニタシステム）１０ａとＣＭＴＳ（ケーブルモデムターミネーションシステム）１０ｂと、ＴＶ信号送信部１０ｃと、により構成されている。ネットワーク１２は、センター装置１０からの幹線を幹線分岐増幅器２０で分岐し、支線をさらに分岐器２１を用いて分岐することで、ツリー型に分岐させた同軸ケーブル網である。ＣＭ１３はＰＣ１５や電話機１６などに、ＳＴＢ１４はＴＶ受信機１７などに接続されている。ＣＭ１３は本発明の端末装置に相当する。
【００２５】
流合雑音検出装置１１は、たとえば各加入者宅の、同軸ケーブル引き込み口などに配置される。集合住宅などの場合には、複数の加入者をまとめて１単位とし、各単位ごとに流合雑音検出装置１１を配置したり、集合住宅ごとに配置してもよい。ただし、流合雑音の発生源を短時間で詳細に知るために、各加入者ごとに流合雑音検出装置１１を設けることが望ましい。
【００２６】
このＣＡＴＶシステムでは、センター装置１０のＣＭＴＳ１０ｂと各ＣＭ１３との間でインターネット接続サービスや電話サービスといった双方向通信サービスと、センター装置１０のＴＶ信号送信部１０ｃからＳＴＢ１４を介してＴＶ受信機１７までのＴＶ放送サービスを行う。ＣＭＴＳ１０ｂは、センター装置１０到達時の各ＣＭ１３からの上り通信信号のレベルが規定のレベルに揃うように、各ＣＭ１３の出力する上り通信信号のレベルを制御する。各ＣＭ１３からＣＭＴＳ１０ｂまでの伝送損失は、伝送路長の違いなどによって異なるため、各ＣＭ１３の出力する上り通信信号のレベルも異なることとなる。
【００２７】
下り通信の帯域では、インターネット接続、ＩＰ電話、テレビ信号伝送ともに７０〜７７０ＭＨｚを用いる。また、上り通信の帯域は、インターネット接続、ＩＰ電話ともに１０〜５０ＭＨｚを用いる。
【００２８】
図２は、流合雑音検出装置１１の構成を示した図である。以下、流合雑音検出装置１１の構成を示すとともに、実施例１のＣＡＴＶシステムの動作について説明する。
【００２９】
流合雑音検出装置１１は、同軸ケーブル、分配器１８を介してＣＭ１３、ＳＴＢ１４と接続する分波器１００と、ネットワーク１２を介してセンター装置１０側に接続する分波器１０１と、を有している。
【００３０】
分波器１００のローパスフィルタ側（下り通信の帯域を遮断し、上り通信の帯域を通過させる側）は、分波器１０１のローパスフィルタ側と接続されている。その間には、分波器１００側から順に、ゲートスイッチ１０５、分岐器１０６、１０７が直列に挿入されている。
【００３１】
分波器１０１のハイパスフィルタ側（下り通信の帯域を透過し、上り通信の帯域を遮断する側）は、分波器１００のハイパスフィルタ側に接続されており、その間には分岐器１０２が挿入されている。
【００３２】
分岐器１０２の分岐側は、ＢＰＦ（バンドパスフィルタ）１０４を介して受信制御部１０３に接続されている。ＢＰＦ１０４は、下り通信信号のうち、制御信号の帯域のみを通過させる。受信制御部１０３は、ゲートスイッチ１０５とテストキャリア制御回路１１０をそれぞれ制御する。受信制御部１０３とゲートスイッチ１０５が、本発明の制御部に相当する。
【００３３】
センター装置１０側から分波器１０１に入力された下り通信信号は、分波器１０１のハイパスフィルタ側から出力されて大部分は分波器１００のハイパスフィルタ側に入力されてＣＭ１３、ＳＴＢ１４側へと出力され、一部分は分岐器１０２によって分岐される。
【００３４】
また、ＣＭ１３、ＳＴＢ１４側から分波器１００に入力された上り通信信号は、分波器１００のローパスフィルタ側から出力されて、ゲートスイッチ１０５、分岐器１０６、１０７を経て分波器１０１のローパスフィルタ側に入力され、センター装置１０側へと出力される。ゲートスイッチ１０５では、受信制御部１０３による制御によって、上り通信信号の遮断・導通、あるいは減衰が行われる。
【００３５】
テストキャリア制御回路１１０は、テストキャリア信号を発振する発振器１１１の発振のオンオフを制御するとともに、そのテストキャリア信号を変調する変調部１１２を制御する。発振器１１１はＢＰＦ１１３を介して第１アッテネータ１１４と接続されている。
【００３６】
分岐器１０６の分岐側は、ＢＰＦ１０８、増幅器１０９を介して第２アッテネータ１１５に接続されている。ＢＰＦ１０８は、上り通信信号の近傍の上り通信信号を含まない帯域の周波数のみを通過させ、これによって雑音を抽出する。
【００３７】
第１アッテネータ１１４および第２アッテネータ１１５は、０〜３１ｄＢの範囲で１ｄＢ刻みで３２段階に減衰量が可変なデジタルアッテネータである。その減衰量は、ディップスイッチ１１６からの制御信号によって制御される。ここで、第１アッテネータ１１４には制御信号がそのまま入力されるが、第２アッテネータ１１５にはインバータ１１７によって反転された後入力される。そのため、第１アッテネータ１１４の減衰量をＡ（ｄＢ）、第２アッテネータ１１５の減衰量をＢ（ｄＢ）とすれば、Ａ＋Ｂは３１で一定となっている。また、第１アッテネータ１１４の減衰量は、テストキャリア信号がセンター装置１０に到達した時点でのテストキャリア信号のレベルが、規定のレベルとなるようにする。これにより、各流合雑音検出装置からのテストキャリア信号のレベルは、センター装置１０においてすべて揃うようになる。
【００３８】
なお、上記とは逆に、第２アッテネータ１１５にはそのまま制御信号を入力するようにし、第１アッテネータ１１４には制御信号をインバータによって反転して入力するようにしてもよい。
【００３９】
第１アッテネータ１１４によって減衰されたテストキャリア信号は、分岐器１０７の分岐側に入力されて分波器１０１のローパスフィルタ側に出力される。そして、分波器１０１のローパスフィルタ側から入力されたテストキャリア信号はセンター装置１０側へと出力される。
【００４０】
センター装置１０では、分波器によって、上り通信信号はＣＭＴＳ１０ｂに、テストキャリア信号はＳＴＭ１０ａに入力される。センター装置１０のＣＭＴＳ１０ｂは、センター装置１０到達時におけるテストキャリア信号のレベルを参照して、センター装置１０到達時の各ＣＭ１３からの上り通信信号のレベルが、センター装置１０到達時におけるテストキャリア信号のレベルと等しく揃うように、各ＣＭ１３の出力する上り通信信号のレベルを制御する。これにより、上り通信信号のＣＮＲ（搬送波対雑音比）と、テストキャリア信号のＣＮＲとを、同一視することができる。
【００４１】
また、第２アッテネータ１１５によって減衰された雑音は、ノイズ検波器１１８に入力されて雑音レベルが検出され、比較器１１９において所定の雑音レベルしきい値と比較される。
【００４２】
ここで、（１）センター装置１０のＳＴＭ１０ａにおいてテストキャリアレベルが規定の値となるよう第１アッテネータ１１４によって減衰されていること、（２）比較器１１９に入力する雑音レベルを第２アッテネータ１１５によって減衰させており、テストキャリアレベルの第１アッテネータ１１４による減衰量と、雑音レベルの第２アッテネータ１１５による減衰量の和が一定となるようにしていること、の２つの理由により、雑音レベルしきい値は、流合雑音検出装置１１からセンター装置１０までの距離の違いなどによる伝送損失の違いによらず、一定の値とすることができる。
【００４３】
さらに、（１）、（２）に加えて、（３）ＣＭ１３の上り通信信号のレベルの制御により、上り通信信号のＣＮＲと、テストキャリア信号のＣＮＲとを同一視できること、を理由として、雑音レベルと雑音レベルしきい値とを比較することは、上り通信信号のＣＮＲ（搬送波対雑音比）と所定の値のＣＮＲしきい値とを比較することに等しい。すなわち、流合雑音検出装置１１では、（１）〜（３）のように動作させることで、センター装置１０におけるＣＮＲを想定して、自動的にＣＮＲしきい値を設定することができる。したがって、流合雑音検出装置１１からセンター装置１０までの距離の違いなどによる伝送損失の違いがあり、各ＣＭ１３が出力する上り通信信号のレベルに違いがあったとしても、流合雑音検出装置１１ごとに異なるＣＮＲしきい値を設定する必要がない。
【００４４】
雑音レベルが雑音レベルしきい値よりも小さい場合、流合雑音が発生していない状態であり、比較器１１９はローレベル信号をテストキャリア制御回路１１０に出力する。テストキャリア制御回路１１０は、受信制御部１０３によって発振器１１１をオンにする指令を受けている場合を除いて、発振器１１１をオフにする。すでに発振器１１１がオフである場合は引き続き発振器１１１をオフの状態とする。そして、通常通りに上り通信を行う。
【００４５】
一方、雑音レベルが雑音レベルしきい値以上である場合、これはＣＮＲが所定のＣＮＲしきい値以上であることと同値であり、流合雑音が発生していると判断して比較器１１９はハイレベルの信号をテストキャリア制御回路１１０に出力する。テストキャリア制御回路１１０は、発振器１１１の発振をオンにしてテストキャリア信号を生成するとともに、変調部１１２を制御してテストキャリア信号を流合雑音の発生を警報する情報で変調して警報信号を生成する。変調波はたとえば周波数変調であり、警報する情報は、流合雑音検出装置１１の端末ＩＤや、ＣＮＲの値などである。警報信号は、ＢＰＦ１１３、第１アッテネータ１１４、分岐器１０７、分波器１０１を経て、センター装置１０のＳＴＭ１０ａに送信される。
【００４６】
センター装置１０のＳＴＭ１０ａは、警報信号を受信することで、流合雑音の発生箇所（ある流合雑音検出装置１１の配置箇所）、および流合雑音のレベル等の情報を得る。センター装置１０のＳＴＭ１０ａはこれらの情報から制御信号を生成し、流合雑音の発生箇所である流合雑音検出装置１１に送信する。制御信号は流合雑音検出装置１１の受信制御部１０３において受信し、制御信号に基づいてゲートスイッチ１０５を制御し、上り通信信号を遮断もしくは減衰させる。減衰させる場合、ＣＭ１３の出力する上り通信信号のレベルを上げるよう制御することで、ＣＮＲを正常な値に回復させることができる。また、テストキャリア制御回路１１０を制御して発振器１１１の発振をオフにし、変調部１１２の動作をオフにする。ただし、変調部１１２の動作のみをオフにし、随時、発振器１１１をオンにしてテストキャリア信号をステータスモニタ信号として活用してもよい。テストキャリア信号をステータスモニタ信号として活用すれば、別途テストキャリア信号用に周波数帯域を確保する必要がなく、流合雑音検出装置１１やＣＡＴＶシステムの簡素化を図ることができ、利便性が高まる。
【００４７】
その後、作業者が警報信号を発した流合雑音検出装置１１の配置されている加入者宅に赴き、流合雑音の発生源を除去する。そして、警報信号を発した流合雑音検出装置１１のゲートスイッチ１０５を再び導通させてＣＡＴＶシステムを流合雑音の発生の問題から復旧させる。
【００４８】
以上のように、流合雑音検出装置１１では、センター装置１０から各加入者までの距離によらずに自動的にＣＮＲしきい値（雑音レベルしきい値）を設定することができるので、その流合雑音検出装置１１を備えた実施例１のＣＡＴＶシステムでは、流合雑音を容易に検出することができる。また、実施例１のＣＡＴＶシステムはテストキャリア信号を用いて流合雑音を検出するため、上り通信時以外にも流合雑音の検出を行うことができ、上り通信帯域の変更や上り通信のチャネルボンディング、上り通信の多チャンネル化などに対応することができるため、汎用性が高い。
【００４９】
なお、実施例は同軸ケーブルのみによってネットワークを構成したＣＡＴＶシステムであったが、幹線を光ファイバーケーブル、支線を同軸ケーブルによって構成したＨＦＣ型のＣＡＴＶシステムにおいても、本発明は適用することができる。
【産業上の利用可能性】
【００５０】
本発明の流合雑音検出装置は、電話サービスなどの双方向通信のサービスを提供するＣＡＴＶシステムに利用することができる。
【符号の説明】
【００５１】
１０：センター装置
１１：流合雑音検出装置
１２：ネットワーク
１３：ＣＭ
１４：ＳＴＢ
１５：ＰＣ
１６：電話機
１７：ＴＶ受信機
１００、１０１：分波器
１０２、１０６、１０７：分岐器
１０３：受信制御部
１０４、１０８、１１３：ＢＰＦ
１０５：ゲートスイッチ
１０９：増幅器
１１０：テストキャリア制御回路
１１１：発振器
１１２：変調部
１１４：第１アッテネータ
１１５：第２アッテネータ
１１６：ディップスイッチ
１１７：インバータ
１１８：ノイズ検波器
１１９：比較器
【図１】
0005661425.tif 000002
【図２】
0005661425.tif 000003